(57)【要約】【課題】燃焼部の温度上昇を抑制する構造を設けた燃焼部交換式ロウソクを提供する。【解決手段】ロウソク状軸体２に形成された燃焼部収容凹部４は、燃焼部３との間に空気流路となる間隙を設けた寸法形状に形成され、燃焼部３を燃焼させると、ロウソク状軸体２の下部に設けた空気流入口５から空洞６を通じて燃焼部収容凹部４に空気が流れて燃焼部３が冷却される。燃焼部３が燃焼継続により温度上昇して炎が異常に大きくなって油煙が発生したり、燃焼可能時間が極端に短くなってしまうことが防止できる。【選択図】  図２
2004362923.tif 000002
【特許請求の範囲】
【請求項１】
ロウソクを模した外形形状に形成されたロウソク状軸体の上部に穿かれた凹部に、容器内にロウソクを収容した燃焼部が着脱可能に収容されてなる燃焼部交換式ロウソクであって、前記凹部は前記容器の外面との間に所要の間隙が形成される内形寸法に形成され、前記ロウソク状軸体の内部に、その下部に形成された空気取り入れ口から凹部の底に通じる空洞が形成されてなることを特徴とする燃焼部交換式ロウソク。
【発明の詳細な説明】
【０００１】
【発明の属する技術分野】
本発明は、比較的大型のロウソクを模した形状のロウソク状軸体の上部にロウソクの燃焼部を交換可能に配した燃焼部交換式ロウソクに関するものである。
【０００２】
【従来の技術】
寺院や葬儀場の祭壇は家庭の仏壇に比して規模が大きいため、そこで使用されるロウソクも大きなものが用いられている。このような比較的大型のロウソクの燃焼可能時間は１０〜２０時間であるが、お勤めや葬儀の所要時間は１〜２時間であるため、ロウソクは多くの燃焼可能部分を残したまま廃棄されてしまう無駄があった。
【０００３】
このような資源の無駄使いを抑えるため、ロウソクの外形を模した軸体の上部に設けた凹部内に小型のロウソクを収容し、使用の都度、小型のロウソクのみを交換できるようにしたローソク灯火照明体が知られている（特許文献１）。
【０００４】
上記従来技術は、図４に示すように、ロウソクの形状を模した外形に燃焼カートリッジ保持部材を形成し、その上部に設けた凹部２７内に、所要の燃焼可能時間を有するローソク燃焼体２５をローソク燃焼体収容容器２６内に収容した燃焼カートリッジ体２４を配し、燃焼カートリッジ体２４のみを使用の都度交換するように構成されている。
【０００５】
【特許文献１】
実登第３０２８７０８号公報（第２頁、図１）
【０００６】
【発明が解決しようとする課題】
上記従来技術に係るローソク灯火照明体では、燃焼カートリッジ体２４は燃焼カートリッジ保持部材１３に形成された凹部２７内に収容されているため、燃焼カートリッジ体２４が燃焼したときの熱が外部放散され難く、ローソク燃焼体収容容器２６内での蝋の溶解が早くなる。ロウソクの蝋は燃焼に必要な量だけが溶融して燃焼芯に供給されるようにするのが望ましく、一定の大きさの炎を維持することができる。ところが、ローソク燃焼体収容容器２６内に溶融した蝋の量が多くなり、それが高温になると、燃焼芯に毛細管現象によって吸い上げられる量が多くなって炎が大きくなり、大きな炎は温度上昇を加速させることになるので、さらに炎が大きくなる悪循環に至る。
【０００７】
ロウソクの炎が異常に大きくなった状態は、蝋が完全燃焼しない状態であり、燃え残りの炭素を空気中に放出する状態、即ち油煙の発生となる。油煙は壁や天井、カーテン等に付着するので、室内を汚す原因となる。また、異常に大きくなった炎は、カーテンなどに燃え移る恐れがあり、火災の原因ともなり得る。
【０００８】
また、高温の溶けた蝋は危険であり、万が一ロウソクが倒れたような場合に火傷を及ぼす恐れがある。また、燃焼カートリッジ保持部材２３が合成樹脂や蝋によって形成されている場合、高温になったローソク燃焼体収容容器２６によって燃焼カートリッジ保持部材２３が溶融し、燃焼に至ると火災の危険性がより高くなる。
【０００９】
また、ローソク燃焼体収容容器２６に溶融した蝋の量が多くなり、それが高温になると、燃焼芯に毛細管現象によって吸い上げられる量が多くなり、所要の燃焼可能時間より早く燃焼しきってしまうことになり、予定より早くに炎が消えてしまう恐れがある。
【００１０】
本発明は従来技術に係る上記課題に鑑みて創案されたもので、燃焼部が異常高温に至らないようにした燃焼部交換式ロウソクを提供することを目的とするものである。
【００１１】
【課題を解決するための手段】
上記目的を達成するための本発明は、ロウソクの形状を模した外形形状に形成されたロウソク状軸体の上部に穿かれた凹部に、容器内にロウソクを収容した燃焼部が着脱可能に収容されてなる燃焼部交換式ロウソクであって、前記凹部は前記容器の外面との間に所要の間隙が形成される内形寸法に形成され、前記ロウソク状軸体の内部に下部に形成された空気取り入れ口から凹部の底に通じる空洞が形成されてなることを特徴とする。
【００１２】
上記構成によれば、交換用燃焼部を燃焼させると上昇気流が発生するので、上昇する気流を補うように空気取り入れ口から流入した空気はロウソク状軸体内に形成された空洞を通り、凹部と容器との間に形成された間隙を通ってロウソクの燃焼部分に供給される。この空気流通により交換用燃焼部の周面は冷却されるので、交換用燃焼部の温度が異常上昇することがなく、高温により必要以上に蝋が溶融することに伴う不完全燃焼や大きな炎の発生がなく、安定した燃焼により所定の燃焼時間が得られる。
【００１３】
【発明の実施の形態】
図１は、実施形態に係る燃焼部交換式ロウソク１の外観形状を示すもので、外観上は比較的大型の和ロウソクの形態を呈しているが、実際にロウソクとして燃焼する燃焼部３は交換可能で、ロウソク本体であるロウソク状軸体２は汚れや損傷が生じない限りは恒久的に使用できるようにして、ロウソクの無駄な消費を防ぐことができるようにしている。
【００１４】
上記燃焼部交換式ロウソク１は、図２に示すように、比較的大型のロウソクの外観形状を模したロウソク状軸体２と、このロウソク状軸体２の上部に形成された凹部４に着脱可能に収容される燃焼部３とを備えて構成されている。
【００１５】
前記ロウソク状軸体２は、金属又は合成樹脂等によって形成され、上部に燃焼部３を収容する凹部４が形成され、下部に燭台３０に設けられたロウソク立針３１を通す取付穴１５と、空気流入口５とが形成され、前記凹部４の底と空気流入口５との間は、ロウソク状軸体２の内部に形成された空洞６により連通されている。
【００１６】
また、前記燃焼部３は、金属などの不燃性材料によって形成された容器９内に、中心に燃焼芯２１を配して蝋２０を所定形状に成形したロウソク１０を収容したもので、ロウソク状軸体２の凹部４内に着脱可能に収容される。この燃焼部３は、所要の燃焼時間が得られる量の蝋２０が収容できるように容器９の直径及び深さが決定され、それに応じて凹部４の内径及び深さが設定される。
【００１７】
前記凹部４は、収容した前記燃焼部３の容器９の外面との間に所要間隔の間隙が形成される寸法形状に形成され、内周面には複数箇所に突起部８が形成され、凹部４内に収容した燃焼部３の容器９に突起部８が当接することにより、凹部４の中央部に燃焼部３が配置され、その周囲に所要間隔の間隙が形成されるようにしている。また、凹部４の底部側には容器９の底面に部分的に当接して燃焼部３を受ける燃焼部受け７が配設され、燃焼部３の底面と凹部４の底面との間に所要間隔の間隙が形成されるようにしている。
【００１８】
前記燃焼部受け７は、ロウソク状軸体２を樹脂成形によって形成した場合には、図示するような複数本の棒を平行あるいは井桁にロウソク状軸体２と一体に形成することが可能であるが、図３に示すように、別部材として井桁形状を形成した燃焼部受け７ａとして、凹部４の底面に配置しても同様の構造が得られる。
【００１９】
上記構成になる燃焼部交換式ロウソク１の燃焼部３を燃焼させると、燃焼部３上には上昇気流が発生するので、上昇する空気を補うように空気流入口５から流入した空気が空洞６内を通り、燃焼部３と凹部４との間の間隙を通じて燃焼部３に供給される。燃焼部３に燃焼が生じている間には容器９の底面及び周面に空気の流れが形成されて冷却されるので、容器９及びそれに接する蝋２０の温度上昇は抑えられる。従って、従来構成のように燃焼の継続と共に燃焼部３が温度上昇して蝋２０の溶融が加速され、必要以上に大きな炎が発生したり、不完全燃焼に伴う油煙の発生や、燃焼可能時間が極端に短くなることがなく、燃焼部３は温度上昇が少なく、安定した炎での燃焼が維持される。
【００２０】
【発明の効果】
以上の説明の通り本発明によれば、燃焼部を交換可能とした燃焼部交換式ロウソクにおいて、空気流路の形成により燃焼部の温度上昇が抑えられるので、必要以上に大きな炎が発生したり、不完全燃焼に伴う油煙の発生や、燃焼可能時間が極端に短くなることがなく、燃焼部３は温度上昇が少なく、安定した炎での燃焼が維持される。
【図面の簡単な説明】
【図１】実施形態に係る燃焼部交換式ロウソクの外観を示す斜視図。
【図２】同上燃焼部交換式ロウソクの構成を示す断面図。
【図３】燃焼部受けの構成を示す斜視図。
【図４】従来技術に係る燃焼部交換式ロウソクの構成を示す断面図。
【符号の説明】
１  燃焼部交換式ロウソク
２  ロウソク状軸体
３  燃焼部
４  凹部
５  空気流入口
６  空洞
７、７ａ  燃焼部受け
８  突起部
９  容器
【図１】
2004362923.tif 000003
【図２】
2004362923.tif 000004
【図３】
2004362923.tif 000005
【図４】
2004362923.tif 000006